(57)【要約】【課題】食器類を収納する洗浄槽２が前方に引き出し自在に収納される食器洗浄機の外装ケース１であって、コストや重量の増加を抑制できるようにしたものを提供する。【解決手段】外装ケース１は、下板部１１１と、下板部１１１の横方向両側部に曲成された起立板部１１２とを有する断面Ｕ字状の底板１１と、各起立板部１１２の上端部に連結される横方向各側の側板１２と、上板１３と、後板とで形成される。底板１１と側板１２とのうちの一方の板（例えば、底板１１）の板厚は、外装ケースを構成する他の板の板厚より厚く、当該一方の板に、洗浄槽２を前後方向に移動自在に支持するガイドレール４が固定される。そして、高さの異なる複数機種の外装ケースの共通部品として底板１１と各側板１２とのいずれか一方（例えば、底板１１）が用いられる。【選択図】図３
2020031793.tif 000002
【特許請求の範囲】
【請求項１】
食器類を収納する洗浄槽が前方に引き出し自在に収納される食器洗浄機の外装ケースであって、板金製で前面が開放された箱形に形成されるものにおいて、
外装ケースの下面を構成する下板部と、下板部の横方向両側部に曲成された起立板部とを有する断面Ｕ字状の底板と、各起立板部の上端部に連結されて、外装ケースの横方向各側の側面を各起立板部と共に構成する横方向各側の側板と、外装ケースの上面を構成する上板と、外装ケースの後面を構成する後板とで形成され、
底板と各側板とのうちの一方の板の板厚は、底板と各側板とのうちの他方の板の板厚よりも厚く、当該一方の板に、洗浄槽を前後方向に移動自在に支持するガイドレールが固定され、
高さの異なる複数機種の外装ケースの共通部品として底板と各側板とのいずれか一方が用いられることを特徴とする食器洗浄機の外装ケース。
【請求項２】
前記一方の板は前記底板であり、この底板が前記共通部品として用いられることを特徴とする請求項１記載の食器洗浄機の外装ケース。
【請求項３】
前記各起立板部の上端部の横方向内側面に前記各側板の下端部を重ねた状態で、各側板が各起立板部に連結されることを特徴とする請求項１又は２記載の食器洗浄機の外装ケース。
【請求項４】
前記各側板に、前記各起立板部の上端部に連結される各側板の下端部より上方に位置させて、横方向外側に屈曲する段部が設けられることを特徴とする請求項１〜３の何れか１項記載の食器洗浄機の外装ケース。
【請求項５】
前記段部は、横方向内側に向けて下方に傾斜するように形成されることを特徴とする請求項４記載の食器洗浄機の外装ケース。
【請求項６】
前記各側板の前記段部から上方にのびる部分の前縁に曲げフランジ部が曲成されると共に、この曲げフランジ部の下端に連続する第２の曲げフランジ部が段部の前縁に曲成されることを特徴とする請求項４又は５記載の食器洗浄機の外装ケース。
【発明の詳細な説明】
【技術分野】
【０００１】
本発明は、食器類を収納する洗浄槽が前方に引き出し自在に収納される食器洗浄機の外装ケースであって、板金製で前面が開放された箱形に形成されるものに関する。
【背景技術】
【０００２】
従来、この種の外装ケースとして、外装ケースの下面を構成する下板部と、下板部の横方向両側部に曲成された、外装ケースの横方向両側面を構成する横方向両側の側板部とを有する断面Ｕ字状のケース主体板と、外装ケースの上面を構成する上板と、外装ケースの後面を構成する後板とで形成されるものが知られている（例えば、特許文献１参照）。尚、このものでは、下板部に、洗浄槽を前後方向に移動自在に支持するガイドレールが固定されている。
【０００３】
上記従来例のものでは、洗浄槽の荷重がガイドレールを介して下板部に作用するため、下板部の強度を高くする必要がある。そして、下板部の強度を確保する上で、下板部を構成するケース主体板の板厚を厚くすることが必要になる。その結果、ケース主体板で構成される側板部の板厚が必要以上に厚くなり、コストや重量が増加する要因になっている。更に、高さの異なる複数機種の外装ケースを製造するには、側板部の高さを変えた各機種専用のケース主体板を用意することが必要になり、このこともコスト増加の要因になっている。
【先行技術文献】
【特許文献】
【０００４】
【特許文献１】特開２００１−４６２９９号公報
【発明の概要】
【発明が解決しようとする課題】
【０００５】
本発明は、以上の点に鑑み、コストや重量の増加を抑制できるようにした食器洗浄機の外装ケースを提供することをその課題としている。
【課題を解決するための手段】
【０００６】
上記課題を解決するために、本発明は、食器類を収納する洗浄槽が前方に引き出し自在に収納される食器洗浄機の外装ケースであって、板金製で前面が開放された箱形に形成されるものにおいて、外装ケースの下面を構成する下板部と、下板部の横方向両側部に曲成された起立板部とを有する断面Ｕ字状の底板と、各起立板部の上端部に連結されて、外装ケースの横方向各側の側面を各起立板部と共に構成する横方向各側の側板と、外装ケースの上面を構成する上板と、外装ケースの後面を構成する後板とで形成され、底板と各側板とのうちの一方の板の板厚は、底板と各側板とのうちの他方の板の板厚よりも厚く、当該一方の板に、洗浄槽を前後方向に移動自在に支持するガイドレールが固定され、高さの異なる複数機種の外装ケースの共通部品として底板と各側板とのいずれか一方が用いられることを特徴とする。
【０００７】
本発明によれば、底板と各側板とのうちの一方の板にガイドレールを介して洗浄槽の荷重が作用するが、当該一方の板の板厚を厚くすることで必要な強度を確保できる。そして、当該一方の板以外の板を無駄に厚くせずに済み、コストや重量の増加を抑制できる。また、底板と各側板とのいずれか一方を複数機種の共通部品とするため、共通部品となる板を量産化できる。従って、複数機種に対応するためのコストの増加を共通部品となる板の量産化による効果で抑制することができる。
【０００８】
また、本発明において、板厚を厚くしてガイドレールを固定する上記一方の板は底板であり、この底板が複数機種の共通部品として用いられることが望ましい。これによれば、板厚を厚くすることによる底板のコスト増を、底板の量産化により効果的に抑制することができる。また、底板は、洗浄槽だけでなく食器洗浄機の全重量を支持するが、板厚を厚くすることで、ひずみを抑制し、ひいては外装ケース全体の組付精度も向上させることができる。
【０００９】
更に、本発明においては、各起立板部の上端部の横方向内側面に各側板の下端部を重ねた状態で、各側板が各起立板部に連結されることが望ましい。これによれば、洗浄槽内の洗浄水が洗浄槽の上端から漏れ出て各側板を伝って流下しても、洗浄水は各側板の下端から各起立板部の外側面に流れ出ることなく底板の下板部上に落下する。従って、外装ケースの外側に洗浄水が漏れ出ることを防止できる。
【００１０】
また、本発明においては、各側板に、各起立板部の上端部に連結される各側板の下端部より上方に位置させて、横方向外側に屈曲する段部が設けられることが望ましい。これによれば、設置施工時に、段部に指を掛けて食器洗浄機を持ち上げることができ、施工性が向上する。
【００１１】
この場合、段部は、横方向内側に向けて下方に傾斜するように形成されることが望ましい。これによれば、洗浄槽から漏れ出た洗浄水が段部に留まることがなく、段部に留まる洗浄水による腐食を防止できる。
【００１２】
更に、各側板の段部から上方にのびる部分の前縁に曲げフランジ部を曲成すると共に、この曲げフランジ部の下端に連続する第２の曲げフランジ部を段部の前縁に曲成することが望ましい。これによれば、段部の剛性が高められ、段部に指を掛けて食器洗浄機を持ち上げる際の段部の変形を抑制することができる。
【図面の簡単な説明】
【００１３】
【図１】本発明の実施形態の外装ケースを具備する食器洗浄機の一例の斜視図。
【図２】図１の食器洗浄機の切断側面図。
【図３】図２のＩＩＩ−ＩＩＩ線で切断した断面図。
【図４】実施形態の外装ケースの斜視図。
【図５】図４の外装ケースの分解状態の斜視図。
【図６】上記食器洗浄機とは別機種の食器洗浄機の図３に対応する断面図。
【発明を実施するための形態】
【００１４】
図１乃至図３を参照して、１は、本発明の実施形態の食器洗浄機の外装ケースを示している。この外装ケース１は、板金製で前面が開放された箱形に形成されている。そして、外装ケース１内に、食器類を収納する洗浄槽２が前方に引き出し自在に収納されている。洗浄槽２の前面には、外装ケース１の前面を閉塞する前面パネル２１が固定されている。前面パネル２１の上端には、横長の操作盤部２２が設けられており、この操作盤部２２の横方向中央部に取手部２３を設けて、取手部２３内に外装ケース１の前面上端部に設けた受爪１６１に係合可能なフック２４を配置している。そして、受爪１６１に対するフック２４の係合を解除した状態で取手部２３を手前に引くことにより、洗浄槽２が外装ケース１の前方に引き出されるようにしている。
【００１５】
洗浄槽２の上面は開放されており、洗浄槽２を外装ケース１の前方に引き出した状態で、洗浄槽２内に上方から食器を出し入れする。外装ケース１内の上部には、洗浄槽２用の上蓋３が図示省略した支持機構により上下方向に移動自在に、且つ、上方に付勢した状態で支持されている。そして、洗浄槽２を外装ケース１内に押し込むことにより、上蓋３が下降して、洗浄槽２の上面が上蓋３により閉塞されるようにしている。
【００１６】
また、図示省略したが、洗浄槽２内には、食器類を載せる食器カゴと、食器カゴに向けて洗浄水を噴射する洗浄ノズルとが設けられ、洗浄槽２の底部下方には、洗浄槽２と一緒に動くように洗浄ポンプが設けられている。そして、洗浄ポンプを正転させたときに、洗浄槽２内に給水路を介して供給された洗浄水が洗浄ノズルに供給され、洗浄ポンプを逆転させたときに、洗浄水が洗浄槽２から排水されるようにしている。
【００１７】
図４、図５も参照して、外装ケース１は、外装ケース１の下面を構成する下板部１１１と、下板部１１１の横方向両側部に曲成された起立板部１１２，１１２とを有する断面Ｕ字状の底板１１と、各起立板部１１２の上端部に連結されて、外装ケース１の横方向各側の側面を各起立板部１１２と共に構成する横方向各側の側板１２と、外装ケース１の上面を構成する上板１３と、外装ケース１の後面を構成する後板１４とで形成される。また、両側板１２，１２の上縁前端間に上桟１５を架設し、この上桟１５の前面に、外装ケース１の前面上端の合成樹脂製の飾り上枠１６を取付け、更に、両側板１２，１２及び両起立板部１１２，１１２の前縁に、外装ケース１の前面両側部の合成樹脂製の飾り側枠１７，１７を取付けている。飾り上枠１６の中央部には、フック２４が係合する上記受爪１６１が設けられている。
【００１８】
底板１１の板厚は、側板１２、上板１３及び後板１４の板厚よりも厚い。そして、底板１１に、洗浄槽２を前後方向に移動自在に支持するガイドレール４を固定している。具体的には、底板１１の各起立板部１１２にレール取付板１１３を固定し、このレール取付板１１３にガイドレール４を取付けて、ガイドレール４がレール取付板１１３を介して底板１１に固定されるようにしている。ガイドレール４には、中間レール４１が前後方向に移動自在に支持されており、この中間レール４１に洗浄槽２に固定したレール状のスライダ４２が前後方向に移動自在に支持されている。従って、洗浄槽２は、ガイドレール４により中間レール４１とスライダ４２とを介して前後方向に移動自在に支持される。
【００１９】
ここで、底板１１には、ガイドレール４を介して洗浄槽２の荷重が作用するのに加え、食器洗浄機の全重量が作用するが、底板１１の板厚を厚くすることで必要な強度を確保でき、底板１１のひずみを抑制し、ひいては外装ケース１全体の組付精度も向上させることができる。そして、本実施形態では、底板１１以外の側板１２を含む他の板を無駄に厚くせずに済み、コストや重量の増加を抑制できる。
【００２０】
また、本実施形態では、各起立板部１１２の上端部の横方向内側面に各側板１２の下端部を重ねた状態で、各側板１２が各起立板部１１２に連結されている。これによれば、洗浄槽２内の洗浄水が上蓋３のシール不良により洗浄槽２の上端から漏れ出て各側板１２を伝って流下しても、洗浄水は各側板１２の下端から各起立板部１１２の外側面に流れ出ることなく底板１１の下板部１１１上に落下する。従って、外装ケース１の外側に洗浄水が漏れ出ることを防止できる。
【００２１】
更に、本実施形態では、各側板１２に、各起立板部１１２の上端部に連結される各側板１２の下端部より上方に位置させて、横方向外側に屈曲する段部１２１を設けている。これによれば、設置施工時に、段部１２１に指を掛けて食器洗浄機を持ち上げることができ、施工性が向上する。
【００２２】
ところで、段部１２１の横方向両側の曲げ線部には、前後方向の間隔を存して複数の補強用ビード１２１ａが形成されているが、これだけでは、段部１２１に指を掛けて食器洗浄機を持ち上げる際に、剛性不足により段部１２１が変形してしまうことがある。そこで、本実施形態では、図５に示す如く、各側板１２の段部１２１から上方にのびる部分の前縁に、曲げフランジ部１２２を曲成すると共に、この曲げフランジ部１２２の下端に連続する第２の曲げフランジ部１２３を段部１２１の前縁に曲成している。これによれば、段部１２１の剛性が高められ、段部１２１に指を掛けて食器洗浄機を持ち上げる際の段部１２１の変形を抑制することができる。
【００２３】
また、段部１２１は、横方向内側に向けて下方に傾斜するように形成されている。そのため、洗浄槽２から漏れ出た洗浄水が段部１２１に留まることがなく、段部１２１に留まる洗浄水による腐食を防止できる。
【００２４】
また、本実施形態では、高さの異なる複数機種の外装ケース１の共通部品として底板１１を用いている。具体的に説明すると、図１乃至図５に示す外装ケース１よりも高さの低い図６に示す機種の外装ケース１でも、共通部品として上記実施形態と同一の底板１１を用いている。このように複数機種で底板１１を共用すれば、底板１１を量産化できる。従って、複数機種に対応するためのコストの増加を底板１１の量産化による効果で抑制することができる。更に、底板１１の板厚を厚くすることによる底板１１のコスト増も量産化により効果的に抑制できる。尚、図６に示す機種では、ガイドレール４を取付けるレール取付板１１３が底板１１の下板部１１１に固定されている。
【００２５】
また、後板１４は、底板１１の両起立板部１１２，１１２の後縁間に跨るように取付けられる下部板１４１と、両側板１２，１２の後縁間に跨るように取付けられる上板部１４２とで構成されている。そして、高さの異なる複数機種の外装ケース１において、下部板１４１として共通のものを用い、更に、上板１３として共通のものを用いれば、一層のコストダウンを図ることができる。
【００２６】
以上、本発明の実施形態について図面を参照して説明したが、本発明はこれに限定されない。例えば、上記実施形態では、底板１１の板厚を厚くして、底板１１にガイドレール４を固定しているが、各側板１２の板厚を底板１１、上板１３及び後板１４の板厚よりも厚くし、各側板１２にガイドレール４を固定してもよい。この場合、高さの異なる複数機種の外装ケース１の共通部品として各側板１２を用いてもよい。
【符号の説明】
【００２７】
１…外装ケース、１１…底板、１１１…下板部、１１２…起立板部、１２…側板、１２１…段部、１２２…曲げフランジ部、１２３…第２の曲げフランジ部、１３…上板、１４…後板、２…洗浄槽、４…ガイドレール。
【図１】
2020031793.tif 000003
【図２】
2020031793.tif 000004
【図３】
2020031793.tif 000005
【図４】
2020031793.tif 000006
【図５】
2020031793.tif 000007
【図６】
2020031793.tif 000008